【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
i) イソシアネート基を実質的に含有せず、および1つ以上のモノマーポリイソシアネートおよび／またはポリイソシアネートアダクトから製造され、
ii) アロファネート基を含有し、
iii) シロキサン基（SiO、MW44として計算）を0.001〜50重量%の量で含有し、および
iv) エチレン性不飽和基（C＝C、MW24として計算）を2〜40重量%の量で含有する、
ポリイソシアネート付加化合物であって、
前記パーセントは、ポリイソシアネート付加化合物の固形分に基づき、シロキサン基は、イソシアネート基と、炭素原子に直接的に結合した1つ以上のヒドロキシル基および1つ以上のシロキサン基を含有する化合物とを反応させてウレタン基および／またはアロファネート基を形成することによって組み込まれ、ただし、ポリイソシアネート付加化合物にシロキサン基を化学的に組み込む基の50モル%より多くがアロファネート基である、
ポリイソシアネート付加化合物。
【請求項２】
シロキサン基が、イソシアネート基と、炭素原子に直接的に結合した１つのヒドロキシル基および1つ以上のシロキサン基を含有する化合物とを反応させることによって組み込まれる、請求項１に記載のポリイソシアネート付加化合物。
【請求項３】
ポリイソシアネート付加化合物が、1,6-ヘキサメチレンジイソシアネートまたはイソホロンジイソシアネートから製造されるイソシアヌレート基含有ポリイソシアネートを含んでなる1つ以上のポリイソシアネートアダクトから製造される、請求項１または２に記載のポリイソシアネート付加化合物。
【請求項４】
エチレン性不飽和基の少なくとも一部が、イソシアネート基と、ヒドロキシアルキル(メタ)アクリレートまたは(メタ)アクリル酸とε-カプロラクトンとの反応生成物とを反応させることにより組み込まれる、請求項１〜３のいずれかに記載のポリイソシアネート付加化合物。
【請求項５】
ポリイソシアネート付加化合物が、固形分に基づいて0.02〜10重量%のシロキサン基および2〜20重量%のエチレン性不飽和基を含有する、請求項１〜４のいずれかに記載のポリイソシアネート付加化合物。
【請求項６】
フリーラジカル重合により硬化可能であり、および請求項１に記載のポリイソシアネート付加化合物を含有する、被覆組成物。
【手続補正２】
【補正対象書類名】明細書
【補正対象項目名】００８６
【補正方法】変更
【補正の内容】
【００８６】
本発明を例示目的で前記に詳しく記載したが、そのような記載は例示目的にすぎず、請求の範囲によって限定される以外は、本発明の精神および範囲を逸脱せずに当業者によってそれらに変更を加えうるものと理解される。
本発明の好ましい態様は、以下を包含する。
［１］  i) イソシアネート基を実質的に含有せず、および1つ以上のモノマーポリイソシアネートおよび／またはポリイソシアネートアダクトから製造され、
ii) アロファネート基を含有し、
iii) シロキサン基（SiO、MW44として計算）を0.001〜50重量%の量で含有し、および
iv) エチレン性不飽和基（C＝C、MW24として計算）を2〜40重量%の量で含有する、
ポリイソシアネート付加化合物であって、
前記パーセントは、ポリイソシアネート付加化合物の固形分に基づき、シロキサン基は、イソシアネート基と、炭素原子に直接的に結合した1つ以上のヒドロキシル基および1つ以上のシロキサン基を含有する化合物とを反応させてウレタン基および／またはアロファネート基を形成することによって組み込まれ、ただし、ポリイソシアネート付加化合物にシロキサン基を化学的に組み込む基の50モル%より多くがアロファネート基である、
ポリイソシアネート付加化合物。
［２］  シロキサン基が、イソシアネート基と、炭素原子に直接的に結合した１つのヒドロキシル基および1つ以上のシロキサン基を含有する化合物とを反応させることによって組み込まれる、［１］に記載のポリイソシアネート付加化合物。
［３］  ポリイソシアネート付加化合物が、1,6-ヘキサメチレンジイソシアネートまたはイソホロンジイソシアネートから製造されるイソシアヌレート基含有ポリイソシアネートを含んでなる1つ以上のポリイソシアネートアダクトから製造される、［１］に記載のポリイソシアネート付加化合物。
［４］  ポリイソシアネート付加化合物が、1,6-ヘキサメチレンジイソシアネートまたはイソホロンジイソシアネートから製造されるイソシアヌレート基含有ポリイソシアネートを含んでなる1つ以上のポリイソシアネートアダクトから製造される、［２］に記載のポリイソシアネート付加化合物。
［５］  エチレン性不飽和基の少なくとも一部が、イソシアネート基と、ヒドロキシアルキル(メタ)アクリレートまたは(メタ)アクリル酸とε-カプロラクトンとの反応生成物とを反応させることにより組み込まれる、［１］に記載のポリイソシアネート付加化合物。
［６］  エチレン性不飽和基の少なくとも一部が、イソシアネート基と、ヒドロキシアルキル(メタ)アクリレートまたは(メタ)アクリル酸とε-カプロラクトンとの反応生成物とを反応させることにより組み込まれる、［２］に記載のポリイソシアネート付加化合物。
［７］  エチレン性不飽和基の少なくとも一部が、イソシアネート基と、ヒドロキシアルキル(メタ)アクリレートまたは(メタ)アクリル酸とε-カプロラクトンとの反応生成物とを反応させることにより組み込まれる、［３］に記載のポリイソシアネート付加化合物。
［８］  エチレン性不飽和基の少なくとも一部が、イソシアネート基と、ヒドロキシアルキル(メタ)アクリレートまたは(メタ)アクリル酸とε-カプロラクトンとの反応生成物とを反応させることにより組み込まれる、［４］に記載のポリイソシアネート付加化合物。
［９］  ポリイソシアネート付加化合物が、固形分に基づいて0.02〜10重量%のシロキサン基および2〜20重量%のエチレン性不飽和基を含有する、［１］に記載のポリイソシアネート付加化合物。
［１０］  ポリイソシアネート付加化合物が、固形分に基づいて0.02〜10重量%のシロキサン基および2〜20重量%のエチレン性不飽和基を含有する、［２］に記載のポリイソシアネート付加化合物。
［１１］  ポリイソシアネート付加化合物が、固形分に基づいて0.02〜10重量%のシロキサン基および2〜20重量%のエチレン性不飽和基を含有する、［３］に記載のポリイソシアネート付加化合物。
［１２］  ポリイソシアネート付加化合物が、固形分に基づいて0.02〜10重量%のシロキサン基および2〜20重量%のエチレン性不飽和基を含有する、［４］に記載のポリイソシアネート付加化合物。
［１３］  ポリイソシアネート付加化合物が、固形分に基づいて0.02〜10重量%のシロキサン基および2〜20重量%のエチレン性不飽和基を含有する、［５］に記載のポリイソシアネート付加化合物。
［１４］  ポリイソシアネート付加化合物が、固形分に基づいて0.02〜10重量%のシロキサン基および2〜20重量%のエチレン性不飽和基を含有する、［６］に記載のポリイソシアネート付加化合物。
［１５］  ポリイソシアネート付加化合物が、固形分に基づいて0.02〜10重量%のシロキサン基および2〜20重量%のエチレン性不飽和基を含有する、［７］に記載のポリイソシアネート付加化合物。
［１６］  ポリイソシアネート付加化合物が、固形分に基づいて0.02〜10重量%のシロキサン基および2〜20重量%のエチレン性不飽和基を含有する、［８］に記載のポリイソシアネート付加化合物。
［１７］  フリーラジカル重合により硬化可能であり、および［１］に記載のポリイソシアネート付加化合物を含有する、被覆組成物。